【手続補正書】
【提出日】平成20年12月22日(2008.12.22)
【手続補正１】
【補正対象書類名】特許請求の範囲
【補正対象項目名】全文
【補正方法】変更
【補正の内容】
【特許請求の範囲】
【請求項１】
整流器の二つの入力端子（Ｅ１１，Ｅ１２；Ｅ２１，Ｅ２２；Ｅ３１，Ｅ３２；Ｅ４１，Ｅ４２；Ｅ６１，Ｅ６２）の間に存在するＡＣ電圧をＤＣ電圧に変換するためのアンテナおよびキャパシタを包含するアンテナ共振回路を有する、電子デバイス用の整流器（１，２，３，４，６）であって、前記整流器は、前記アンテナ共振回路に結合され、且つ、半導体有機材料からなる少なくとも一つの電気的な機能層をそれぞれが有する少なくとも二つの有機ダイオード（ＯＤ１，ＯＤ２）および／または有機電界効果トランジスタ（ＯＦ１，ＯＦ２，ＯＦ３，ＯＦ４）を有し、それにおいて、
前記整流器がさらに、二つまたはそれより多くのチャージングまたはチャージ・リバーサル・キャパシタ（Ｃ１，Ｃ２，ＣＳ１，ＣＳ２，ＣＵ）を有し、それらが前記二つまたはそれより多くの有機ダイオードおよび／または有機電界効果トランジスタに、前記チャージングまたはチャージ・リバーサル・キャパシタが異なる電流パスを経由して充電されることが可能となる方法で接続されることを特徴とする整流器。
【請求項２】
第１のチャージング・キャパシタ（Ｃ１）および第１の有機ダイオード（ＯＤ１）が第１の導電ライン分岐内に配置されること、第２のチャージング・キャパシタ（Ｃ２）および第２の有機ダイオード（ＯＤ２）が第２の導電ライン分岐内に配置されること、前記第１および第２の導電ライン分岐が並列構成で前記整流器（１）の前記入力（Ｅ１）に結合されること、および前記第１および第２の有機ダイオード（ＯＤ１，ＯＤ２）が前記第１および第２の導電ライン分岐内においてそれぞれのアノードおよびカソードの背合わせ配置で接続されることを特徴とする請求項１に記載の整流器（１）。
【請求項３】
第１の有機ダイオード（ＯＤ１）および第２の有機ダイオード（ＯＤ２）がそれぞれのアノードおよびカソードの背合わせ配置でチャージ・リバーサル・キャパシタ（Ｃ１）を経由して前記整流器の第１の入力端子（Ｅ２１，Ｅ３１，Ｅ４１，Ｅ６１）に接続されること、前記第１の有機ダイオード（ＯＤ１）が前記整流器の第２の入力端子（Ｅ２２，Ｅ３２，Ｅ４２，Ｅ６２）に接続されること、および前記第２の有機ダイオード（ＯＤ２）がチャージング・キャパシタ（Ｃ２）を経由して前記整流器の第２の入力端子（Ｅ２２，Ｅ３２，Ｅ４２，Ｅ６２）に接続されることを特徴とする請求項１に記載の整流器（２，３，４，６）。
【請求項４】
前記第１の有機ダイオード（ＯＤ１）の前記カソードおよび前記第２の有機ダイオード（ＯＤ２）の前記アノードが前記チャージ・リバーサル・キャパシタ（Ｃ１）を経由して前記第１の入力端子（Ｃ２１）に接続されること、前記第１の有機ダイオード（ＯＤ１）の前記アノードおよび前記第２の有機ダイオード（ＯＤ２）の前記カソードが前記チャージング・キャパシタ（Ｃ２）を介して互いに接続されること、および前記第１の有機ダイオード（ＯＤ１）の前記アノードが前記第２の入力端子（Ｅ２２）に接続されることを特徴とする請求項３に記載の整流器（２）。
【請求項５】
前記第１の有機ダイオード（ＯＤ１）の前記アノードおよび前記第２の有機ダイオード（ＯＤ２）の前記カソードが前記チャージ・リバーサル・キャパシタ（Ｃ１）を経由して前記第１の入力端子（Ｅ２１）に接続されること、前記第１の有機ダイオード（ＯＤ１）の前記カソードおよび前記第２の有機ダイオード（ＯＤ２）の前記アノードが互いに前記チャージング・キャパシタ（Ｃ２）を介して接続されること、および前記第１の有機ダイオード（ＯＤ１）のアノードが前記第２の入力端子（Ｅ３２）に接続されることを特徴とする請求項３に記載の整流器（３）。
【請求項６】
前記整流器が、互いに接続される二つまたはそれより多くの段（Ｓ４１，Ｓ４２，Ｓ６４，Ｓ６３，Ｓ６１，Ｓ６２）から構成され、それらがそれぞれの場合において二つのチャージングまたはチャージ・リバーサル・キャパシタおよび二つの有機ダイオードを有し、かつ前記チャージングまたはチャージ・リバーサル・キャパシタが異なる電流パスを経由して充電されることが可能となる方法でそれらが接続され、かつそれらがそれぞれの場合において二つの入力端子（Ｅ４１，Ｅ４２，Ｅ４３，Ｅ４４；Ｅ６１〜Ｅ６６）およびその先の段の入力端子に結合するための二つの結合端子（Ｂ４１，Ｂ４２，Ｂ４３，Ｂ４４；Ｂ６１〜Ｂ６８）を有することを特徴とする請求項１に記載の整流器（４，５）。
【請求項７】
第１の段（Ｓ４１，Ｓ４２；Ｓ６１，Ｓ６２）において、前記第１の有機ダイオードの前記カソードおよび前記第２の有機ダイオードの前記アノードが前記第１の段の前記第１の結合端子（Ｂ４１，Ｂ４３；Ｂ６１，Ｂ６３）に、かつ前記チャージ・リバーサル・キャパシタを経由して前記第１の段の前記第１の入力端子（Ｅ４１，Ｅ４３；Ｅ６１，Ｅ６３）に接続されること、前記第１の有機ダイオードの前記アノードおよび前記第２の有機ダイオードの前記カソードが前記チャージング・キャパシタを介して互いに接続されること、および前記第１の有機ダイオードの前記アノードが前記第１の段の前記第２の入力端子（Ｅ４２，Ｅ４４；Ｅ６２，Ｅ６４）に接続され、かつ前記第２の有機ダイオードの前記カソードが前記第１の段の第２の結合端子（Ｂ４２，Ｂ４４；Ｂ６２，Ｂ６４）に接続されることを特徴とする請求項６に記載の整流器（４，６）。
【請求項８】
前記整流器が二つまたはそれより多くの第１の段（Ｓ４１，Ｓ４２）を有し、先頭の前記第１の段（Ｓ４１）の前記第１および第２の入力端子（Ｅ４１，Ｅ４２）がそれぞれ前記整流器（４）の前記第１および第２の入力端子を形成し、それぞれの前記第１の段（Ｓ４１）の前記第１および第２の結合端子（Ｂ４１，Ｂ４２）が下流の前記第１の段のそれぞれの前記第１および第２の入力端子（Ｅ４３，Ｅ４４）に、前記それぞれの第１の段が前記整流器の最終段を形成しないことを条件に接続され、かつ前記整流器の出力（Ａ４）が、前記先頭の第１の段の前記第２の入力端子（Ｅ４２）によって、および前記最終の第１の段（Ｓ４２）の前記第２の結合端子（Ｂ４４）によって形成されることを特徴とする請求項７に記載の整流器（４）。
【請求項９】
第２の段（Ｓ６３，Ｓ６４）において、前記第１の有機ダイオードの前記アノードおよび前記第２の有機ダイオードの前記カソードが前記第２の段の前記第１の結合端子（Ｂ６５，Ｂ６７）に、かつ前記チャージ・リバーサル・キャパシタを経由して前記第２の段の前記第１の入力端子（Ｅ６１，Ｅ６５）に接続されること、前記第１の有機ダイオードの前記カソードおよび前記第２の有機ダイオードの前記アノードが前記チャージング・キャパシタを介して互いに接続されること、および前記第１の有機ダイオードの前記カソードが前記第２の段の前記第２の入力端子（Ｅ６２，Ｅ６６）に接続され、かつ前記第２の有機ダイオードの前記アノードが前記第２の段の前記第２の結合端子（Ｂ６６，Ｂ６８）に接続されることを特徴とする請求項６に記載の整流器（６）。
【請求項１０】
前記整流器が二つまたはそれより多くの第２の段を有し、先頭の前記第２の段の前記第１および第２の入力端子がそれぞれ前記整流器の前記第１および第２の入力端子を形成し、それぞれの前記第２の段の前記第１および第２の結合端子が下流の前記第２の段のそれぞれの前記第１および第２の入力端子に、前記それぞれの第２の段が前記整流器の最終段を形成しないことを条件に接続され、かつ前記整流器の出力が、前記先頭の第２の段の前記第２の入力端子によって、および前記最終の第２の段の前記第２の結合端子によって形成されることを特徴とする請求項９に記載の整流器。
【請求項１１】
前記整流器が一つまたは複数の第１の段（Ｓ６１，Ｓ６２）および一つまたは複数の第２の段（Ｓ６３，Ｓ６４）を有すること、先頭の前記第１の段（Ｓ６１）の前記第１および第２の入力端子（Ｅ６１，Ｅ６２）が先頭の前記第２の段（Ｓ６３）の前記第１および第２の入力端子（Ｅ６１，Ｅ６２）のそれぞれに接続され、前記整流器（６）の第１および第２の入力端子のそれぞれを形成すること、および前記整流器の出力が、前記最終の第１の段（Ｓ６２）の前記第２の結合端子（Ｂ６４）によって、および前記最終の第２の段（Ｓ６４）の前記第２の結合端子（Ｂ６８）によって形成されることを特徴とする請求項７および請求項９に記載の整流器（６）。
【請求項１２】
一つまたは複数の前記有機ダイオードが、ゲート電極がソースまたはドレイン電極と接続される有機電界効果トランジスタによって形成されることを特徴とする請求項１から請求項１１のいずれか１項に記載の整流器。
【請求項１３】
一つまたは複数の前記有機ダイオードが、前記有機ダイオードの寄生容量を下げるための中間層を有することを特徴とする請求項１から請求項１２のうちのいずれか１項に記載の整流器。
【請求項１４】
前記整流器の前記第１および／または前記第２の入力端子が、一つまたは複数の第１の有機電界効果トランジスタ（ＯＦ１，ＯＦ３，ＯＦ２）を介して前記チャージ・リバーサル・キャパシタ（ＣＳ１，ＣＳ２）に接続されること、前記チャージ・リバーサル・キャパシタ（ＣＳ１，ＣＳ２）が一つまたは複数の第２の電界効果トランジスタ（ＯＦ４）を介して前記チャージング・キャパシタ（ＣＯ）に接続されること、および前記一つまたは複数の前記第１の電界効果トランジスタがロジック回路（７２）によって駆動されることを特徴とする請求項１に記載の整流器。
【請求項１５】
柔軟な多層フィルム本体の形式の電子デバイス（５，７，８）、特にＲＦＩＤトランスポンダ（５）であって、
前記電子デバイスが電圧源（５１，７１，８１）および先行する請求項のいずれか１項に記載の整流器（５３，８３）を有し、前記整流器が前記電圧源によって給電され、前記電圧源（５１）が、アンテナおよびキャパシタを包含する、前記電子デバイス上に放射される電磁放射との結合に適した共振回路を有することを特徴とする電子デバイス。
【請求項１６】
前記電子デバイスが、前記整流器（５２）によって給電される一つまたは複数の能動または受動有機コンポーネントを基礎とする電子回路（５３）を包含することを特徴とする請求項１５に記載の電子デバイス（５）。